(57)【特許請求の範囲】
【請求項１】
遠隔操作棒の先端に固定把持部と可動把持部とを備え、固定把持部の先端把持面と可動把持部の先端把持面との間隔が、遠隔操作により可動把持部を回動させることによって変化する遠隔操作用ヤットコにおいて、
固定把持部の中間部に、凹状把持面を有するサブ把持体を、可動把持部側に向けて進出する進出位置と、後退する後退位置との２位置のいずれかに設定できるよう進退動可能に取付け、
前記サブ把持体を前記後退位置に設定したとき、被把持物を固定把持部の先端把持面と可動把持部の先端把持面との間に把持でき、前記サブ把持体を前記進出位置に設定したとき、被把持物を可動把持部の中間部とサブ把持体の凹状把持面との間に把持できるように構成した
ことを特徴とする遠隔操作用ヤットコ。
【発明の詳細な説明】
【技術分野】
【０００１】
本発明は主として架線工事に用いる遠隔操作用ヤットコに関するものである。
【背景技術】
【０００２】
架線工事において、電線、スリーブ、検電器、補修カバーなどを遠隔操作で把持しうる工具として、遠隔操作用ヤットコが用いられている（特許文献１参照）。
【０００３】
そして従来の遠隔操作用ヤットコは、図５に示すように、遠隔操作棒１の先端部に固定把持部２と可動把持部３とを備え、可動把持部を遠隔操作により回転させることによって、固定把持部２の先端把持面４と可動把持部３の先端把持面５との間で被把持物を把持するように構成されている。
【特許文献１】特開２００３−１７０３６４号公報
【発明の開示】
【発明が解決しようとする課題】
【０００４】
上記従来の遠隔操作用ヤットコは、固定把持部の先端把持面と可動把持部の先端把持面との間に被把持物を把持する構成となっているため、軟らかい被覆部を有する被覆電線や、把持するために都合の良い平面部を有する検電器、補修カバーなどの把持には適しており、落下事故などを起こさず、確実にこれらの被把持物を把持して架線工事などを行うことができる。
【０００５】
しかし、従来の遠隔操作用ヤットコは、その把持面が平面で、比較的小面積であるため、硬くて円形断面を有する電線の芯線部やスリーブを確実安定に把持することが困難で、架線工事などの作業中に落下事故を起こす危険性が大であるという問題があった。
【課題を解決するための手段】
【０００６】
本発明は上記課題を解決するため、遠隔操作棒の先端に固定把持部と可動把持部とを備え、固定把持部の先端把持面と可動把持部の先端把持面との間隔が、遠隔操作により可動把持部を回動させることによって変化する遠隔操作用ヤットコにおいて、固定把持部の中間部に、凹状把持面を有するサブ把持体を、可動把持部側に向けて進出する進出位置と、後退する後退位置との２位置のいずれかに設定できるよう進退動可能に取付け、前記サブ把持体を前記後退位置に設定したとき、被把持物を固定把持部の先端把持面と可動把持部の先端把持面との間に把持でき、前記サブ把持体を前記進出位置に設定したとき、被把持物を可動把持部の中間部とサブ把持体の凹状把持面との間に把持できるように構成したことを特徴とする。
【発明の効果】
【０００７】
本発明によれば、サブ把持体を後退位置に設定したときは、従来の遠隔操作用ヤットコと同様に固定把持部の先端把持面と可動把持部の先端把持面との間に、被覆電線、検電器、補修カバーなどを把持でき、サブ把持体が邪魔にならず、固定把持部と可動把持部が含まれる空間の全体を利用して、比較的大型の被把持物を、屈曲等の変形を与えることなく把持することができる。他方、サブ把持体を進出位置に設定したときは、固定把持部の中間部とサブ把持体の凹状把持面との間に、円形断面を有する被覆電線、特に硬くて円形断面を有する電線の芯線部やスリーブを、その移動を拘束した状態で、確実に把持することができる。そして、各種の被把持物のそれぞれの把持に適した状態に切り替える操作は、サブ把持体の進退動位置を切替える動作で行うことができるため、容易である。
【発明を実施するための最良の形態】
【０００８】
本発明の実施例を図面を参照しながら説明する。
【０００９】
本実施例の遠隔操作用ヤットコは、遠隔操作棒１の先端部に固定把持部２と可動把持部３とを備え、固定把持部２の先端把持面４と可動把持部３の先端把持面５との間隔が、遠隔操作により可動把持部３を回動させることにより変化するように構成されている。
【００１０】
遠隔操作棒１は従来例と同一構成であるので、図５を参照して、簡単に説明する。遠隔操作棒１は主操作棒６と補助操作棒７とからなり、補助操作棒７の下端は主操作棒６に設けたハンドル８の従動片部８ｂにピン結合され、上端は可動把持部３の延長部１４にピン結合されている。ハンドル８は操作レバー部８ａ、ワンウェイクラッチ（図示省略）、従動片部８ｂ、ワンウェイロック解除レバー（図示省略）等を備え、操作レバー部８ａを往復回動させることにより、従動片部８ｂを下方に一方向回動させ、補助操作棒７を下方に移動させることができる。またワンウェイロック解除レバーの操作により、ワンウェイクラッチをフリーな状態として、操作レバー部８ａを上方に復帰回動させ、補助操作棒７を瞬時に上方に復帰動させることができる。主操作棒６および補助操作棒７は、電気絶縁性を有するように構成され、活線状態下での遠隔作業の安全を図っている。
【００１１】
前記固定把持部２は、図１〜図４に示すように、側面視略円弧状のアーム部９と基端の円筒部１０とからなる金属製のもので、円筒部１０は前記主操作棒６の上端に装着固定されている。前記アーム部９の先端部１６はラジアル外方向側に突出する部分を有し、その内面側に滑り防止用の鋸歯状凹凸条を備えた平面の把持面４が形成されている。アーム部９の中間部１１には、図１、図２に示す正面視矩形状の貫通口１２が形成されている。
【００１２】
前記可動把持部３は、図１〜図４に示すように、側面視略円弧状のアーム部１３とその基端から延出する延長部１４からなる金属製のもので、そのアーム部１３の基端において、枢軸１５により、固定把持部２のアーム部９の基端に回動可能に支持されている。前記アーム部１３の先端部１７はラジアル外方向側に突出する部分を有し、その内面側に滑り防止用の鋸歯状凹凸条を備えた平面の把持面５が形成されている。この把持面５は固定把持部２の把持面４と同一形状に形成され、両者は当接時に密着状態となる。アーム部１３の中間部１８および前記延長部１４は、図２に示すように、その幅Ｗが前記貫通口１２の幅より小に形成されている。なお前記延長部１４および前記補助操作棒７の上端部５５は前記貫通口１２内を通過するように構成されている。前記延長部１４と前記補助操作棒７の上端とは枢支ピン１９により、ピン結合されている。なお、固定把持部２のアーム部９における中間部１１は、特許請求の範囲で云う「固定把持部の中間部」に対応し、前記アーム部９の前記把持面４と前記枢軸１５との間の部分を指称する。同様に可動把持部３のアーム部１３における中間部１８は、特許請求の範囲に云う「可動把持部の中間部」に対応し、前記アーム部１３の内の前記把持面５と前記枢軸１５との間の部分を指称する。
【００１３】
前記固定把持部２の中間部１１には、図１〜図４に示すように、凹状把持面２０を有するサブ把持体２１が、可動把持部３側に向けて進出する進出位置と、後退する後退位置との２つの位置のいずれかに設定できるように、進退動可能に取付けられている。
【００１４】
サブ把持体２１は、金属板を平面視コ字状に折曲形成してなるもので、左側板部２２、右側板部２３および両者を連絡する連絡板部２４から構成されている。左右の側板部２２、２３の側面視外形状は同一に形成され、その可動把持部３側の辺りには、く字状にへこむ凹状把持面２０、２０が形成されている。前記凹状把持面２０には、鋸歯状凹凸条が形成されている。左右の側板部２２、２３は、その下部において枢支ピン２５、２５により固定把持部２のアーム部９に回動自在に枢支されている。この枢支ピン２５は、前記中間部１１における前記枢軸１５の近傍箇所に位置し、この枢支ピン２５を中心として、サブ把持体２１が、前記進出位置と後退位置との間で回動できるように構成している。
【００１５】
右側板部２３には、前記枢支ピン２５を中心とした円弧となるガイド孔２６が形成され、その両端にガイド孔２６の幅長より大の直径を有する円形凹部２７、２８が形成されている。これら円形凹部２７、２８の中心と、前記ガイド孔２６の両端の円形部中心とは同心位置になっている。固定把持部２には、前記ガイド孔２６を貫通してこれによって案内されるネジ軸２９が植設固定されている。そして、ネジ軸２９の右側板部２３より突出する部分に位置決めナット３０が螺合されている。この位置決めナット３０は、回転操作用の大径部３１と、前記円形凹部２７、２８に嵌合する小径部３２とからなっている。前記位置決めナット３０を弛めて、前記小径部３２を前記円形凹部２７、２８から離脱させると、サブ把持体２１を上方に回動させて前記進出位置に位置決めした状態で、位置決めナット３０を締め付けて、前記小径部３２を下側の円形凹部２８に嵌合させることにより、サブ把持体２１を後退位置に固定することができる。
【００１６】
図４は、サブ把持体２１を前記後退位置に固定して使用する場合を示しており、これは図５に示す従来の遠隔操作用ヤットコと同様の使用状態を示している。前記遠隔操作棒１のハンドル８を操作して、補助操作棒７を下動させると、図に仮想線で示すように、可動把持部３は固定把持部２に接近するように回動し、これらの把持面５、４間に被把持物４０ａを把持することができる。その際サブ把持体２１は、可動把持部３と固定把持部２とで囲まれる空間から、大略後退しているので、被把持物４０ａが大型のもの等であっても、把持動作の邪魔にはならない。そして図に示すように、被把持物４０aが把持に適する平坦面を有するものであれば、これを確実に把持することができる。
【００１７】
図３は、サブ把持体２１を前記進出位置に固定して使用する場合を示している。前記遠隔操作棒１のハンドル８を操作して、補助操作棒７を下動させると、図に仮想線で示すように、可動操作部３は前進位置にあるサブ把持体２１に接近するように回動し、可動把持部３の中間部１８とサブ把持体２１の１対の凹状把持面２０、２０との間に被把持物４０ｂを把持することができる。被把持物４０ｂとしては、硬くて円形断面を有する電線の芯線部やスリーブが適しており、また図３に仮想線で示すように直径の異なる各種円形断面の被把持物４ｂの把持に適用することができる。この使用例においては、例えば芯線の場合その長手方向中央部の一側面に可動把持部３の中間部１８が当接し、その長手方向の両側部２箇所の他側面にサブ把持体２１の１対の凹状把持面２０、２０が当接した状態で、芯線を狭圧把持するので、スリーブに曲げ力が作用するが、芯線はそれに耐える硬さを有するため、曲げ変形することなく、確実にこれを把持することができる。
【００１８】
本発明は上記実施例に示す外、種々の態様に構成することができ、例えばサブ把持体を固定把持部に着脱可能に取付けることができる。
【産業上の利用可能性】
【００１９】
本発明は、硬くて円形断面を有する被把持物を含めた種々の被把持物を遠隔操作により確実に把持できる架線工事用の遠隔操作用ヤットコとして利用するのに適したものである。
【図面の簡単な説明】
【００２０】
【図１】本発明の実施例の斜視図。
【図２】その正面図。
【図３】サブ把持体を進出位置に設定したときの側面図。
【図４】サブ把持体を後退位置に設定したときの側面図。
【図５】従来例の概略図。
【符号の説明】
【００２１】
１    遠隔操作棒
２    固定把持部
３    可動把持部
４    固定把持部の先端把持面
５    可動把持部の先端把持面
１１    固定把持部の中間部
１３    可動把持部の中間部
２０    凹状把持面
２１    サブ把持体
４０ａ、４０ｂ    被把持体
【図１】
0004977559.tif 000002
【図２】
0004977559.tif 000003
【図３】
0004977559.tif 000004
【図４】
0004977559.tif 000005
【図５】
0004977559.tif 000006